(57)【要約】【課題】  カバーの開放時にカバーが最大開度に至ったことを認識可能な記録装置を提供する。【解決手段】  記録機構部を内蔵した外装ケースの背面に、下端が当該背面にヒンジ連結されて背面の開口部を覆うと共に、上端が外装ケース手前から後方に押された場合、当該ヒンジを支点に揺動して開放されるカバー１４を備えた記録装置１０において、外装ケース手前から前記カバー１４を後方に押す力が第一の力を越えた場合、外装ケースが当該外装ケース底面に形成された第一の支点４４を中心に回転を開始し、前記押す力が、第一の力よりも大きい第二の力に至った場合、外装ケースの回転の中心が、第一の支点よりも後方に位置する外装ケース底面に形成された第二の支点４２に移動するようにした。【選択図】      図１１
2006231659.tif 000002
【特許請求の範囲】
【請求項１】
記録機構部を内蔵した外装ケースの背面に、下端が当該背面にヒンジ連結されて背面の開口部を覆うと共に、上端が外装ケース手前から後方に押された場合、当該ヒンジを支点に揺動して開放されるカバーを備えた記録装置において、外装ケース手前から前記カバーを後方に押す力が第一の力を越えた場合、外装ケースが当該外装ケース底面に形成された第一の支点を中心に回転を開始し、前記押す力が、第一の力よりも大きい第二の力に至った場合、外装ケースの回転の中心が、第一の支点よりも後方に位置する外装ケース底面に形成された第二の支点に移動することを特徴とする記録装置。
【請求項２】
前記外装ケースが、記録機構部を載置する下部ケースと、この下部ケースに連結され、記録機構部を覆って収納する上部ケースとを備え、前記カバーが、下部ケースにヒンジ連結されていることを特徴とする請求項１に記載の記録装置。
【請求項３】
前記カバーが、外装ケースの上面の後半部から当該外装ケースの背面の上半部に連なる開口部を覆うことを特徴とする請求項１又は２に記載の記録装置。
【請求項４】
前記カバーの上端の開放時軌跡が、外装ケースの上面よりも上方に突出することを特徴とする請求項１乃至３のいずれかに記載の記録装置。
【請求項５】
前記外装ケース底面に第一の支点が形成され、第一の支点よりも高い位置に第二の支点が形成されていることを特徴とする請求項１乃至４のいずれかに記載の記録装置。
【請求項６】
前記外装ケース底面が、第一の支点から第二の支点まで略直線状に傾斜して形成されていることを特徴とする請求項５に記載の記録装置。
【請求項７】
前記外装ケース裏面に第二の支点が臨んでいることを特徴とする請求項１乃至６のいずれかに記載の記録装置。
【発明の詳細な説明】
【技術分野】
【０００１】
本発明は、外装ケースの背面にカバーを備えた記録装置に関する。
【背景技術】
【０００２】
一般に、記録機構部を内蔵した外装ケースの背面に、下端が当該背面にヒンジ連結されて背面の開口部を覆うと共に、上端が外装ケース手前から後方に押された場合、当該ヒンジを支点に揺動して開放されるカバーを備えた記録装置が知られている。
このような記録装置では、記録媒体を補充するときや、この記録媒体が外装ケース内に詰ったとき等のトラブル時にカバーが開放される。
【０００３】
この種の記録装置では、カバーの開放時に、カバーが開き過ぎないように、例えば外装ケースに度当たりを形成し、この度当たりにカバーの一部をあてて、当該カバーの開き過ぎを防止するのが一般的である（例えば、特許文献１参照）。
【特許文献１】特開２００３−２１８７７号公報
【発明の開示】
【発明が解決しようとする課題】
【０００４】
しかしながら、上述した構成では、カバーが最大開度に達した状態で、ユーザーが更にカバーを開こうとすると、カバーのヒンジ部が破損することが考えられる。これを防止するため、従来、最大開度を越えてカバーに力が加えられても破損しないようにヒンジ部の強度を高めた設計がなされている。
そのため、従来の技術では、ユーザーがカバーの最大開度を越えてカバーを押し続けた場合、記録装置自体が傾く恐れがある。
【０００５】
本発明は、上述した事情に鑑みてなされたものであり、カバーの開放時にカバーが最大開度に至ったことを認識可能な記録装置を提供することを目的とする。
【課題を解決するための手段】
【０００６】
本発明は、記録機構部を内蔵した外装ケースの背面に、下端が当該背面にヒンジ連結されて背面の開口部を覆うと共に、上端が外装ケース手前から後方に押された場合、当該ヒンジを支点に揺動して開放される前記カバーを備えた記録装置において、外装ケース手前からカバーを後方に押す力が第一の力を越えた場合、外装ケースが当該外装ケース底面に形成された第一の支点を中心に回転を開始し、前記押す力が、第一の力よりも大きい第二の力に至った場合、外装ケースの回転の中心が、第一の支点よりも後方に位置する外装ケース底面に形成された第二の支点に移動することを特徴とする。
前記構成に寄れば、支点の移動に応じて外装ケースを回転させるのに必要な力の大きさを変化させることにより、カバーが最大開度に達していることをユーザーに気付かせさせる。
【０００７】
この場合において、前記外装ケースが、記録機構部を載置する下部ケースと、この下部ケースに連結され、記録機構部を覆って収納する上部ケースとを備え、前記カバーが、下部ケースにヒンジ連結されていてもよい。
前記構成に寄れば、前記カバーが前記支点の形成されている下部ケースについていることにより、カバーの支持強度が増し、支点の移動に応じて外装ケースを回転させるのに必要な力の大きさの変化をユーザーに気付かせ易くなる。
【０００８】
前記カバーが、外装ケースの上面の後半部から当該外装ケースの背面の上半部に連なる開口部を覆っていてもよい。前記カバーの上端の開放時軌跡が、外装ケースの上面よりも上方に突出していてもよい。
前記構成に寄れば、前記カバーの全長が長くなり、外装ケースを回転させ易くなるため、本発明の効果が顕著となる。
【０００９】
前記外装ケース底面に第一の支点が形成され、第一の支点よりも高い位置に第二の支点が形成されていてもよい。
前記構成に寄れば、外装ケースが回転したときに、外装ケースの回転の支点が変化し、これに応じて外装ケースを回転させるのに必要な力の大きさを変化させることにより、カバーが最大開度に達していることをユーザーに気付かせさせる。
【００１０】
前記外装ケース底面が、第一の支点から第二の支点まで略直線状に傾斜して形成されていてもよい。前記外装ケース裏面に第二の支点が臨んでいてもよい。
これら構成に寄れば、例えば前記外装ケースを樹脂製としたときに、一体で成形することができる。
【発明の効果】
【００１１】
本発明によれば、カバーが最大開度に達した状態でユーザーが更にカバーを押し、外装ケースが回転したときに、外装ケースの回転の支点が変化し、これに応じて外装ケースを回転させるのに必要な力の大きさを変化させて、カバーが最大開度に達していることをユーザーに気付かせさせる。
【発明を実施するための最良の形態】
【００１２】
以下、図面を参照して本発明の実施の形態について説明する。
図１は、本発明を適用した一実施形態に係るドットインパクトプリンター１０の外観斜視図であり、図２は、ドットインパクトプリンター１０の背面図である。また、図３は、ドットインパクトプリンター１０が内蔵する記録機構部２０の構成を示す斜視図であり、図４は、図３のＡ−Ａ断面図である。
【００１３】
ドットインパクトプリンター１０は、複数の記録ワイヤーを打ち出す記録ヘッド３０により、記録媒体の記録面に対して、インクリボンを介して記録ワイヤーを打ち出すことによって文字を含む画像を記録するものである。なお、本実施形態では、上記記録媒体として連続紙を用いた例について説明する。
【００１４】
図１に示すドットインパクトプリンター１０は、上部ケース１１及び下部ケース１２からなる略箱形の外装を有し、この外装に記録機構部２０（図３）を内蔵する。また、上部ケース１１及び下部ケース１２の側面には、ドットインパクトプリンター１０内の換気を行うための上部ケース吸排気口１１ａと下部ケース吸排気口１２ａとが設けられている。
上部ケース１１の上面前部には上面カバー１３が配置され、リボンカートリッジ（図示略）を記録機構部２０に装着する際等に上方に開かれる。上部ケース１１の前面下部には、記録機構部２０に連続紙を供給するためのフロント給紙口１１１が開口する。フロント給紙口１１１の上には、前方に開く前面カバー１５が配置され、前面カバー１５を開けて記録機構部２０に連続紙をセットできるようになっている。
【００１５】
また、図１及び図２に示すように、上部ケース１１には、上部ケース１１の後部から背面にかけて連続する上背面カバー１４が配置される。上背面カバー１４は、後述する記録機構部２０のメンテナンス時等に、上部ケース１１の後方に向けて開放される。上背面カバー１４の背面には、記録後の連続紙が吐き出される排紙口１１３が開口する。
さらに、上部ケース１１の背面において、上背面カバー１４の下には、記録機構部２０に連続紙を供給するためのリア給紙口１１２が開口する。
【００１６】
さらに、図２に示すように、下部ケース１２の背面下部にはＩ／Ｆカバー１６が配置される。Ｉ／Ｆカバー１６の内側には、ドットインパクトプリンター１０をコンピューター等の各種機器に接続するためのコネクター（図示略）が配置されており、Ｉ／Ｆカバー１６を開けて、上記コネクターにケーブルを接続する等の作業を行えるようになっている。
【００１７】
また、図１に示すように、上部ケース１１の前面上部には操作パネル１２１が配置される。操作パネル１２１は、ドットインパクトプリンター１０の動作に係る各種設定を行うためのスイッチ類、動作状態を報知するインジケータ及び液晶ディスプレイパネル等を備える。下部ケース１２の前面の隅には、ドットインパクトプリンター１０の電源をＯＮ／ＯＦＦするスイッチ１２２が配置される。また、図２に示すように、下部ケース１２の背面には、ドットインパクトプリンター１０に電源を供給するための電源コネクター１２３が配置される。
【００１８】
次に、記録機構部２０の構成について説明する。図３及び図４に示すように、記録機構部２０は、本体フレームとしての右サイドフレーム２１、左サイドフレーム２２、フロントフレーム２３及びベースフレーム２４を備える。この本体フレームに、記録ヘッド３０と、記録ヘッド３０を載置するキャリッジ２８と、フロント側から記録ヘッド３０に対して連続紙を供給するフロント給紙機構２６と、リア側から記録ヘッド３０に対して連続紙を供給するリア給紙機構２７と、フロント給紙機構２６及びリア給紙機構２７により供給された連続紙を記録ヘッド３０に向けて搬送する搬送機構３４と、記録ヘッド３０による記録済みの連続紙を排出する排紙機構３５と、リボンカートリッジ（図示略）を駆動するリボン駆動ユニット３７とが配置される。
【００１９】
右サイドフレーム２１及び左サイドフレーム２２は、記録機構部２０の両端部において互いに対向するよう立設され、この右サイドフレーム２１と左サイドフレーム２２との間に、フロントフレーム２３及びベースフレーム２４が架け渡される。フロントフレーム２３は記録機構部２０のフロント側に位置し、ベースフレーム２４は記録機構部２０の下部のリア側に位置する。
【００２０】
フロント給紙機構２６は、記録機構部２０の前面下部に配置されたフロント給紙台２６１と、右サイドフレーム２１と左サイドフレーム２２との間に平行に架け渡されたトラクター支持軸２６３及びトラクター駆動軸２６４と、左右一対のフロントトラクター２６２と、各フロントトラクター２６２に一体に取り付けられたフロントトラクターカバー２６６とを備える。
【００２１】
フロント給紙台２６１は、記録機構部２０の前面のほぼ下端部から斜め上に延びる面を有し、この面により、フロント給紙口１１１（図１）から挿入された連続紙を下方から支持する。フロント給紙台２６１の上方には、トラクター支持軸２６３及びトラクター駆動軸２６４が配設され、これらトラクター支持軸２６３及びトラクター駆動軸２６４に、左右一対のフロントトラクター２６２が挿通される。フロントトラクター２６２は各々平面部を有し、この平面部がフロント給紙台２６１の面に連なるよう配設される。また、フロントトラクター２６２は、複数のピン２６５を有するトラクターベルト（図示略）を備える。このトラクターベルトはトラクター支持軸２６３とトラクター駆動軸２６４とに架けられる。トラクター支持軸２６３は回転自在に配設される一方、トラクター駆動軸２６４は搬送モーター（図示略）によって駆動されて回転する。そして、上記トラクターベルトは、トラクター駆動軸２６４の回転に伴って回転し、ピン２６５を下方から上方へ移動させる。ピン２６５は、フロントトラクター２６２の平面部から露出しており、連続紙の幅方向両端部に穿設されたスプロケットホールに係合する。そして、上記トラクターベルトの回転によりピン２６５が移動すると、連続紙が、上方すなわち記録ヘッド３０側へ搬送される。
【００２２】
また、フロントトラクター２６２には、ピン２６５の上方から被さるフロントトラクターカバー２６６が配設される。フロントトラクター２６２に連続紙を載せてフロントトラクターカバー２６６を被せることにより、連続紙のスプロケットホールがピン２６５に係合した状態が保持される。
【００２３】
リア給紙機構２７は、右サイドフレーム２１と左サイドフレーム２２との間に平行に架け渡されたトラクター支持軸２７２及びトラクター駆動軸２７３と、左右一対のリアトラクター２７１と、各リアトラクター２７１に一体に取り付けられたリアトラクターカバー２７５と、リアトラクター２７１の奥に配設されたスプロケットホイール２７６とを備える。
【００２４】
記録機構部２０のリア側においては、ベースフレーム２４の一部が、リア給紙口１１２（図２）に対応する位置で平面に形成されており、この平面により、リア給紙口１１２から挿入された連続紙が下方から支持される。そして、このベースフレーム２４に並べてトラクター支持軸２７２及びトラクター駆動軸２７３が配設され、これらトラクター支持軸２７２及びトラクター駆動軸２７３に、２個のリアトラクター２７１が挿通される。リアトラクター２７１は平面部を有し、この平面部が、ベースフレーム２４がなす平面に連なるように配設される。
【００２５】
また、リアトラクター２７１は、複数のピン２７４を有するトラクターベルト（図示略）を備え、このトラクターベルトはトラクター支持軸２７２とトラクター駆動軸２７３とに架けられており、搬送モーター（図示略）によってトラクター駆動軸２７３が駆動されることにより回転する。ピン２７４はリアトラクター２７１の平面部に露出しており、連続紙に穿設されたスプロケットホールに係合する。そして、上記トラクターベルトの回転によりピン２７４が移動し、連続紙がフロント側へ搬送される。
【００２６】
リアトラクター２７１のフロント側には、スプロケットホイール２７６が配設される。スプロケットホイール２７６は、右サイドフレーム２１と左サイドフレーム２２との間に架け渡された軸に挿通され、この軸が搬送モーター（図示略）により駆動されることで回転する。スプロケットホイール２７６の円周面には複数のピン２７７が並んで突出しており、これらピン２７７は、リアトラクター２７１から搬送された連続紙のスプロケットホールに係合する。そして、スプロケットホイール２７６が回転することにより、連続紙の上方からピン２７７が連続紙のスプロケットホールに係合して、連続紙を巻き上げる。これにより、連続紙が記録ヘッド３０に向けて搬送される。
【００２７】
また、リアトラクター２７１には、ピン２７７の上方から被さるリアトラクターカバー２７５が配設される。リアトラクター２７１に連続紙を載せてリアトラクターカバー２７５を被せることにより、連続紙のスプロケットホールがピン２７４に係合した状態が保持される。
【００２８】
搬送機構３４は、連続紙の裏面に当接する第１搬送ローラー３４１と、連続紙を介して第１搬送ローラー３４１に対向する第２搬送ローラー３４２と、第２搬送ローラー３４２を軸支する第２搬送ローラー軸３４３と、記録ヘッド３０に対向して配置されたプラテン３１とを備える。
【００２９】
第１搬送ローラー３４１はスプロケットホイール２７６の上方に配置され、連続紙の裏面に当接する。この第１搬送ローラー３４１に対して、連続紙を挟んで対向する位置に、第２搬送ローラー軸３４３が配置される。この第２搬送ローラー軸３４３は、右サイドフレーム２１と左サイドフレーム２２との間に回転自在に架け渡され、複数の第２搬送ローラー３４２が挿通される。第２搬送ローラー軸３４３は、ローラー開閉モーター（図示略）の動作によって所定の範囲内で移動可能であり、ローラー開閉モーターが開動作を行うと、第２搬送ローラー３４２は第１搬送ローラー３４１から離隔され、ローラー開閉モーターが閉動作を行うと、第２搬送ローラー３４２は第１搬送ローラー３４１に向けて付勢される。
【００３０】
そして、上記ローラー開閉モーターが閉動作を行うことで、連続紙が第１搬送ローラー３４１と第２搬送ローラー３４２との間に挟まれて支持される。第１搬送ローラー３４１は搬送モーター（図示略）及び駆動輪列部３３により駆動され、第１搬送ローラー３４１が回転することにより、第１搬送ローラー３４１と第２搬送ローラー３４２に挟まれた連続紙が、上方すなわち記録ヘッド３０側へ搬送される。
【００３１】
キャリッジ２８は、右サイドフレーム２１と左サイドフレーム２２との間に架け渡されたキャリッジ軸２９に挿通される。キャリッジ２８には、キャリッジ駆動モーター３２とキャリッジ駆動プーリー（図示略）とに架けられたベルトが装着され、キャリッジ駆動モーター３２とキャリッジ駆動プーリーの動作によってベルトが駆動されると、キャリッジ軸２９に沿って移動する。
【００３２】
キャリッジ２８には、記録ヘッド３０が搭載される。記録ヘッド３０は、搬送機構３４の上方において連続シートの記録面に対向し、連続紙の記録面と記録ヘッド３０との間には、後述するリボンカートリッジ（図示略）のインクリボンが配置される。そして、記録ヘッド３０から連続紙の記録面に向けて記録ワイヤー（図示略）を打ち出すことにより、連続紙の記録面にインクが付着し、文字を含む画像が記録される。
【００３３】
また、記録ヘッド３０に対向する位置において、連続紙の裏面側には、プラテン３１が配置される。プラテン３１は、連続紙に接する部分が平面状に形成された平プラテンであり、この平面において、記録ヘッド３０から突出する記録ワイヤーの突出力を支持する。プラテン３１は、連続紙に対して垂直な方向に移動可能に構成され、ばね（図示略）によって連続紙に向けて付勢される。
【００３４】
排紙機構３５は、記録ヘッド３０により記録された連続紙に裏側から当接する第１排紙ローラー３５１と、右サイドフレーム２１から左サイドフレーム２２にかけて配置された可動フレーム３５３と、可動フレーム３５３を支持する可動軸３５４及びユニット支持軸３５５と、可動フレーム３５３と左サイドフレーム２２とに跨って組み付けられたばね３５６と、可動フレーム３５３に固定された複数の排紙ローラーユニット３５７と、排紙ローラーユニット３５７に組み付けられた第２排紙ローラー３５８とを備える。
【００３５】
第１排紙ローラー３５１は、記録ヘッド３０の上方において連続紙の裏面に当接し、搬送モーター（図示略）及び駆動輪列部３３により駆動されて回転する。この第１排紙ローラー３５１に対して、連続紙を介して対向する位置に、可動軸３５４及びユニット支持軸３５５が配置される。可動軸３５４及びユニット支持軸３５５は、右サイドフレーム２１と左サイドフレーム２２との間に架け渡され、ユニット支持軸３５５は右サイドフレーム２１及び左サイドフレーム２２に固定される一方、可動軸３５４は、ユニット支持軸３５５を中心として円を描くように移動可能である。また、可動フレーム３５３は、可動軸３５４及びユニット支持軸３５５に固定され、可動軸３５４とともに移動可能である。
可動フレーム３５３には、可動軸３５４及びユニット支持軸３５５の軸方向に沿って並ぶ複数の排紙ローラーユニット３５７が取り付けられる。排紙ローラーユニット３５７には、それぞれ、ユニット支持軸３５５から離隔した位置に第２排紙ローラー３５８が組み付けられている。
【００３６】
可動フレーム３５３は、左サイドフレーム２２との間に架け渡されたばね３５６によって、ユニット支持軸３５５を中心として第１排紙ローラー３５１に近づく方向に付勢される。このため、排紙ローラーユニット３５７が有する第２排紙ローラー３５８は、第１排紙ローラー３５１に押しつけられる方向に付勢され、この付勢力により、連続紙が第１排紙ローラー３５１と第２排紙ローラー３５８との間に挟まれる。
【００３７】
なお、可動軸３５４は、ローラー開閉モーター（図示略）の動作によって、ばね３５６の付勢力に抗して移動される。すなわち、ローラー開閉モーターが開動作を行うと、ローラー開閉モーターの駆動力によって、可動軸３５４がばね３５６の付勢力に抗して移動し、第２排紙ローラー３５８が第１排紙ローラー３５１から離隔する。また、ローラー開閉モーターが駆動力を解放すると、ばね３５６の付勢力によって、第２排紙ローラー３５８が第１排紙ローラー３５１に押しつけられる。
【００３８】
図５は、下部ケース１２を底面から見た斜視図である。
下部ケース１２は樹脂部品であり、左フロント脚部４３ａ及び右フロント脚部４３ｂにより構成されるフロント脚部４４と、左リア脚部４０ａ及び右リア脚部４０ｂにより構成されるリア脚部４０と、左突起部４２ａ及び右突起部４２ｂにより構成される突起部４２と、センター脚部４１とを一体に備えている。
【００３９】
突起部４２にはＩ／Ｆカバー１６（図２）をヒンジ固定するための、Ｉ／Ｆカバーヒンジ部１６ａが設けられており、これにヒンジ連結されたＩ／Ｆカバー１６が左突起部４２ａと右突起部４２ｂとの間に配置される。
また、左リア脚角部４４ａと右リア脚角部４４ｂとは、それぞれ左フロント脚部４３ａと右フロント脚部４３ｂとの角部であり、これらはリア脚角部４４を構成する。
左フロント脚部４３ａと右フロント脚部４３ｂとには、フロント脚部ゴム３６がそれぞれ組み込まれており（左側のみ図示）、センター脚部４１にはセンター脚部ゴム３７が組み込まれている。
【００４０】
図６は図５に示す下部ケース１２のＢ―Ｂ断面図である。
突起部４２は、下部ケース１２の底面であって、床面１００からの高さが、下部ケース裏面３８よりも高い位置に設けられている。従って、下部ケース１２は通常、左右のフロント脚部ゴム３６、センター脚部ゴム３７、リア脚部４０で床面１００と接することにより、ドットインパクトプリンター１０は設置されている。
【００４１】
図7は、上背面カバー１４開放時の背面斜視図であり、上面の後半部に設けられた上面開口部１８ａから背面の上半部に設けられた背面開口部１８ｂに連なるように、一連に開口部１８が開口している。また、図８は図７を後ろから見た平面図である。
上部ケース１１には、上部ケース１１の後部から背面にかけて連続する上背面カバー１４が配置され、この上背面カバー１４は、下部ケース１２の後部の両端に設けられた、上背面カバーヒンジ部１７によってヒンジで支持されている。
【００４２】
開口部１８にはリアトラクター２７１が露出しており、リアトラクター２７１には、上述したように、ピン２７７の上方から被さるリアトラクターカバー２７５が配設される。ドットインパクトプリンター１０に連続紙をセットする際には、先ず、リアトラクターカバー２７５を垂直に立て、それぞれの連続紙のスプロケットホールがピン２７４に係合するように、リアトラクター２７１の上に連続紙を載せる。次に、リアトラクターカバー２７５を内側に９０度折り、リアトラクターカバー２７５とリアトラクター２７１との間に搬送される連続紙の側端部を挟む。
【００４３】
また、このリアトラクターカバー２７５はリアトラクター２７１と一体となって、トラクター支持軸２７２及びトラクター駆動軸２７３の軸方向に沿って移動可能である。よって、連続紙を記録機構部２０にセットする際に、リアトラクター２７１の幅方向の位置が合わないときには、ピン２７７が連続紙のスプロケットホールに係合するように、リアトラクター２７１の幅方向の位置を調整する。
【００４４】
このように、記録機構部２０に連続紙をセットするときや、メンテナンス時等には、この上背面カバーヒンジ部１７を支点に、例えば図１０の破線Ｋに示すように、上背面カバー１４の上端（荷重点５０）の開放時軌跡が、上部ケース１１の上面１１ｂよりも突出するように揺動して上背面カバー１４を開放する。そして、背面カバー１４が開放されることにより、ドットインパクトプリンター１０内に収められた記録機構部２０の後側が開口部１８から露出する。
【００４５】
図９は、上背面カバー１４開放途中の側面図であり、図１０は上背面カバー１４が最大開度に達した時の側面図である。
矢印Ｆに示すように、ユーザーが荷重点５０を押すと、上背面カバー１４は上背面カバーヒンジ部１７を支点に揺動して開放する。上背面カバー１４は横から見て逆Ｌ字型の樹脂部品であり、リブが設けられている。この上背面カバー１４を指示する上背面カバーヒンジ部１７や、下部ケース１２等も含め、ユーザーが上背面カバー１４を最大開度に達した状態で、更に上背面カバー１４を開放すべく力を加えてしまったときに、壊れないような十分な強度で設計されている。
従って、このような状況においては、上背面カバー１４が壊れる代わりに、ドットインパクトプリンター１０がリア脚角部４４を支点に回転し、ドットインパクトプリンター１０は傾く。
【００４６】
左突起部４２ａと右突起部４２ｂとはＩ／Ｆカバー１６を介して向かい合うように設けられており、ドットインパクトプリンター１０がリア脚角部４４を支点に回転し、突起部４２が床面１００に接するときは、左右同時に接する。
【００４７】
図１１は、リア脚角部４４を支点に回転し、突起部４２が床面１００に接触した時の側面図である。
ドットインパクトプリンター１０の重心Ｇはリア脚角部４４よりも前にあり、突起部４２からの距離Ｌ２は、リア脚角部４４からの距離Ｌ１よりも遠い。さらに、上背面カバー１４の荷重点５０は、リア脚角部４４からの距離Ｌ３よりも突起部４２からの距離Ｌ４の方が近い。これにより、ドットインパクトプリンター１０を回転するのに必要なモーメントは、リア脚角部４４を支点にドットインパクトプリンター１０を回転させるときのモーメントＭ１よりも、突起部４２を支点にドットインパクトプリンター１０を回転させるときのモーメントＭ２の方が大きくなる。
【００４８】
従って、上背面カバー１４を開放するのに十分な第一の力を越えて、上背面カバー１４を開放すべく力Ｆを加えたときには、ドットインパクトプリンター１０が下部ケース１２のリア脚角部４４を支点に回転し、ドットインパクトプリンター１０が所定の角度（例えば３０度）回転すると、突起部４２が床面１００に接触する。突起部４２が床面１００に接触した状態で、更に上背面カバー１４を開放すべく第一の力よりも大きな第二の力を加えると、ドットインパクトプリンター１０が突起部４２を支点に回転する。ここで所定の角度とは、ドットインパクトプリンター１０を通常使用状態で床面１００に設置し、側面から見たときに、ドットインパクトプリンター１０が回転するときの、リア脚角部４４の支点と突起部４２の支点とを結んだ線が、床面１００と形成する角度とする。
【００４９】
リア脚角部４４を支点に回転してから、突起部４２が床面１００に接触するまでの間に、ドットインパクトプリンター１０の構成部品は床面１００に接触しないような形状となっているため、突起部４２が床面１００に接触するときには、突起部４２に衝撃荷重が加わる。
【００５０】
突起部４２が床面１００に接触したことによって発生したこの衝撃荷重は衝撃エネルギーとなり、上背面カバー１４に伝わる。上背面カバー１４を押しているユーザーの手には、この接触によって発生した衝撃エネルギーが伝わってくることにより、ユーザーは上背面カバー１４が最大開度に達していることに気付くことができる。
【００５１】
さらに、上述してように、ドットインパクトプリンター１０の回転の支点が、リア脚角部４４から突起部４２に移動すると、ドットインパクトプリンター１０の回転を保つのに要するモーメントがＭ１からＭ２へと大きくなる。これにより、上背面カバー１４を開放しようとし続けているユーザーの手に加わる上背面カバー１４からの反力が大きくなり、ユーザーは手に加わる反力の増加によっても、上背面カバー１４が最大開度に達していることに気付くことができる。
【００５２】
以上、一実施形態に基づいて本発明を説明したが、本発明はこれに限定されるものではない。例えば、実施形態では、ドットインパクトプリンター１０がリア脚角部４４を支点に回転してから突起部４２に接するまでの間は、リア脚角部４４でドットインパクトプリンター１０を支持しているが、これに限らず、リア脚角部４４の支点と突起部４２の支点とを、リア脚角部４４から突起部４２に移動するに従って曲率半径が大きくなるような円弧で結び、支点を連続的に移動し、突起部４２が床面１００に接触したときの衝撃を抑えてもよい。
【００５３】
また、実施形態ではドットインパクトプリンター１０が回転するときの支点が移動し、ユーザーの手に伝わる衝撃や反力の変化に基づいて上背面カバー１４が最大開度に達していることをユーザーに気付かせているが、これに限らず、例えば、突起部４２を感圧センサー等とし、ドットインパクトプリンター１０が傾いて突起部４２が床面１００に接触し、この感圧センサーが圧力を検知するのに応じて、警告音を出力したり、警告ランプを点滅させたりしてもよい。
【図面の簡単な説明】
【００５４】
【図１】本発明の一実施形態に係る記録装置の外観を示す正面斜視図である。
【図２】記録装置を後から見た平面図である。
【図３】記録機構部の斜視図である。
【図４】図３のＡ−Ａ断面図である。
【図５】下部ケースの斜視図である。
【図６】図５のＢ−Ｂ断面図である。
【図７】上背面カバー開放時の記録装置の斜視図である。
【図８】上背面カバー開放時の記録装置を後から見た平面図である。
【図９】上背面カバー開放途中の記録装置の側面図である。
【図１０】上背面カバー開放時の記録装置の側面図である。
【図１１】記録装置傾斜時の側面図である。
【符号の説明】
【００５５】
１０  ドットインパクトプリンター（記録装置）
１１  上部ケース（外装ケース）
１２  下部ケース（外装ケース）
１４  上背面カバー（カバー）
１７  上背面カバーヒンジ部（ヒンジ）
１８  開口部
２０  記録機構部
４２  突起部（第二の支点）
４４  リア脚角部（第一の支点）
【図１】
2006231659.tif 000003
【図２】
2006231659.tif 000004
【図３】
2006231659.tif 000005
【図４】
2006231659.tif 000006
【図５】
2006231659.tif 000007
【図６】
2006231659.tif 000008
【図７】
2006231659.tif 000009
【図８】
2006231659.tif 000010
【図９】
2006231659.tif 000011
【図１０】
2006231659.tif 000012
【図１１】
2006231659.tif 000013